(57)【要約】【課題】浮動ハウジングの固定ハウジングに対する移動範囲を、高精度で定めることができるフローティングコネクタを提供する。【解決手段】回路基板１０１に固定される固定ハウジング２００に浮動ハウジング３００を移動可能に装着し、浮動ハウジング３００に形成されたピッチ方向当接部ＰＸ、挿抜方向当接部ＱＸ、デュアルピッチ方向当接部ＤＸが、固定ハウジング２００に形成されたピッチ方向被当接部ＰＹ、挿抜方向被当接部ＱＹ、デュアルピッチ方向被当接部ＤＹに当接することで、浮動ハウジング３００の固定ハウジング２００に対するピッチ方向Ｐ、挿抜方向Ｑ、デュアルピッチ方向Ｄの移動範囲が定まるフローティングコネクタ１００であって、浮動ハウジング３００と固定ハウジング２００との間に、これらハウジング２００、３００を一つの金型で一体にインジェクションモールド成形するための樹脂の通路となり、最終的には除去される繋ぎ部５００を設けた。【選択図】図１０
2011048982.tif 000002
【特許請求の範囲】
【請求項１】
回路基板に固定される固定ハウジングと該固定ハウジングに対して所定範囲で移動可能な浮動ハウジングとを、中程に可撓部を有する複数の端子で連結し、相手方コネクタが挿抜される際、前記可撓部が弾性変形することで前記浮動ハウジングが前記固定ハウジングに対して移動するフローティングコネクタであって、
前記浮動ハウジングの、前記固定ハウジング及び前記浮動ハウジングに装着された複数の端子の配列方向即ちピッチ方向、前記相手方コネクタの挿抜方向、これらピッチ方向及び挿抜方向で形成される面に直交するデュアルピッチ方向の各方向の移動を夫々所定範囲に制限するため、前記浮動ハウジングに形成されたピッチ方向当接部、挿抜方向当接部、デュアルピッチ方向当接部と、
前記浮動ハウジングが前記所定範囲を越えて前記各方向に移動しようとした場合、前記ピッチ方向当接部、挿抜方向当接部、デュアルピッチ方向当接部が夫々当接することで前記浮動ハウジングの移動を前記所定範囲に制限するため、前記固定ハウジングに形成されたピッチ方向被当接部、挿抜方向被当接部、デュアルピッチ方向被当接部と、
前記浮動ハウジングと前記固定ハウジングとを連結して設けられ、これらハウジングを一つの金型で一体にインジェクションモールド成形するための樹脂の通路となり、最終的には除去される繋ぎ部と
を備えたことを特徴とするフローティングコネクタ。
【請求項２】
前記固定ハウジングが、前記ピッチ方向に間隔が隔てられた一対の対向面部と、該対向面部に前記ピッチ方向に貫通形成された窓部とを有し、
前記浮動ハウジングが、前記各対向面部の内側面から前記ピッチ方向に所定間隔が隔てられた一対の対向壁部と、該対向壁部の外側面に前記ピッチ方向に突出して形成され前記窓部に遊嵌された突起部とを有し、
前記ピッチ方向当接部が、前記対向壁部の外側面であり、前記ピッチ方向被当接部が、前記対向面部の内側面であり、
前記挿抜方向当接部が、前記突起部の前記挿抜方向の手前面及び奥面であり、前記挿抜方向被当接部が、前記窓部の前記挿抜方向の手前面及び奥面であり、
前記デュアルピッチ方向当接部が、前記突起部の前記デュアルピッチ方向の上下面であり、前記デュアルピッチ方向被当接部が、前記窓部の前記デュアルピッチ方向の上下面である
請求項１に記載のフローティングコネクタ。
【請求項３】
前記固定ハウジングが、前記ピッチ方向に間隔が隔てられた一対の対向面部と、該対向面部に前記ピッチ方向に貫通形成された窓部と、該窓部の前記挿抜方向の手前側の前記対向面部に設けられ前記手前側が開放するコ字状に形成されたコ字状受け面とを有し、
前記浮動ハウジングが、前記各対向面部の内側面から前記ピッチ方向に所定間隔が隔てられた一対の対向壁部と、該対向壁部の外側面に前記ピッチ方向に突出して形成され前記窓部に遊嵌された突起部と、前記対向壁部の外側面から前記ピッチ方向に突出されて前記コ字状受け面の内方に挿通された張出部とを有し、
前記ピッチ方向当接部が、前記対向壁部の外側面であり、前記ピッチ方向被当接部が、前記対向面部の内側面であり、
前記挿抜方向当接部が、前記突起部の前記挿抜方向の手前面と、前記張出部の前記挿抜方向の奥面とを有し、前記挿抜方向被当接部が、前記窓部の前記挿抜方向の手前面と、前記コ字状受け面の前記挿抜方向の奥面とを有し、
前記デュアルピッチ方向当接部が、前記張出部の前記デュアルピッチ方向の上下面を有し、前記デュアルピッチ方向被当接部が、前記コ字状受け面の前記デュアルピッチ方向の上下面を有する
請求項１に記載のフローティングコネクタ。
【請求項４】
前記固定ハウジングが、前記ピッチ方向に間隔が隔てられた一対の対向面部と、該対向面部に前記ピッチ方向に貫通形成された窓部と、該窓部の前記挿抜方向の手前側の前記対向面部に設けられ前記手前側が開放するコ字状に形成されたコ字状受け面とを有し、
前記浮動ハウジングが、前記各対向面部の内側面から前記ピッチ方向に所定間隔が隔てられた一対の対向壁部と、該対向壁部の外側面に前記ピッチ方向に突出して形成され前記窓部に遊嵌された突起部と、前記対向壁部の外側面から前記ピッチ方向に突出されて前記コ字状受け面の内方に挿通された張出部とを有し、
前記ピッチ方向当接部が、前記対向壁部の外側面であり、前記ピッチ方向被当接部が、前記対向面部の内側面であり、
前記挿抜方向当接部が、前記突起部の前記挿抜方向の手前面を有すると共に、前記突起部の前記挿抜方向の奥面又は前記張出部の前記挿抜方向の奥面を有し、前記挿抜方向被当接部が、前記窓部の前記挿抜方向の手前面を有すると共に、前記窓の前記挿抜方向の奥面又は前記コ字状受け面の前記挿抜方向の奥面を有し、
前記デュアルピッチ方向当接部が、前記突起部の前記デュアルピッチ方向の上下面又は前記張出部の前記デュアルピッチ方向の上下面を有し、前記デュアルピッチ方向被当接部が、前記窓部の前記デュアルピッチ方向の上下面又は前記コ字状受け面の前記デュアルピッチ方向の上下面を有する
請求項１に記載のフローティングコネクタ。
【請求項５】
前記浮動ハウジングを前記固定ハウジングに対してピッチ方向の一方に片寄らせても、前記浮動ハウジングが前記固定ハウジングから脱落しないように、前記浮動ハウジングが前記固定ハウジングに係合されている
請求項１〜４いずれかに記載のフローティングコネクタ。
【発明の詳細な説明】
【技術分野】
【０００１】
本発明は、回路基板に固定される固定ハウジングと、固定ハウジングに対して所定範囲で移動可能な浮動ハウジングと、これらのハウジング同士を連結し中程に可撓部を有する複数の端子とを備え、可撓部が弾性変形することで浮動ハウジングが固定ハウジングに対して移動するフローティングコネクタに関する。
【背景技術】
【０００２】
一方の回路基板にプラグコネクタを、他方の回路基板にソケットコネクタを夫々実装し、それらを直接嵌合して両回路基板を導通させる基板間コネクタシステムにおいては、プラグコネクタ或いはソケットコネクタの実装位置のズレを吸収するため、何れか一方のコネクタをフローティングタイプとする必要がある。
【０００３】
この種のフローティングコネクタは、回路基板に固定された固定ハウジングと、固定ハウジングの上方に配置された浮動ハウジングと、これらのハウジング同士を連結し中程に可撓部を有する端子とを備えている。かかるフローティングコネクタにおいては、相手方コネクタの嵌合時等に、端子の可撓部が弾性変形することで浮動ハウジングの移動が許容されるところ、端子の可撓部が過剰に伸ばされる等して塑性変形してしまうことを回避する必要がある。
【０００４】
このため、従来、特許文献１の要約に記載されたように、コンタクト部ハウジング（２）と、これとは別体のテール部ハウジング（３）とを有し、複数の端子（１０）の各々のコンタクト部（１１）をコンタクト部ハウジング（２）に装着すると共に、テール部（１２）をテール部ハウジング（３）に装着し、且つテール部（１２）の近傍の圧入片（２２）の先端（２３）をテール部ハウジング（３）の係止溝（２８）に圧入し、各端子（１０）のコンタクト部（１１）とテール部（１２）間に可撓連結部（１３）が形成され、各端子（１０）のコンタクト部（１１）と可撓連結部（１３）の間から延出した可撓連結部保護片（１８）の先端（２１）をテール部ハウジング（３）に形成した挿入溝（３０）に、常態に於いて挿入溝（３０）の壁（３１、３２）に接触しないようにして挿入せしめた構造のフローティングタイプの電気コネクタが知られている。なお、括弧の符号は、特許文献１に記載の符号であり、本出願の図面とは無関係である。
【０００５】
かかるフローティングコネクタにおいては、前記コンタクト部ハウジング（２）が浮動ハウジングに相当し、前記テール部ハウジング（３）が固定ハウジングに相当する。そして、前記端子（１０）の可撓連結部（１３）よりも浮動ハウジング（２）側の部分に可撓連結部保護片（１８）を形成し、その先端（２１）を固定ハウジング（３）に形成した挿入溝（３０）に遊嵌しているので、相手方コネクタの嵌合時等に浮動ハウジング（２）が移動された際、可撓連結部保護片（１８）の先端（２１）が挿入溝（３０）の壁（３１、３２）に当接することで、浮動ハウジング（２）の移動範囲を可撓連結部（１３）が塑性変形しない範囲に制限することができる。
【先行技術文献】
【特許文献】
【０００６】
【特許文献１】実開平６−４４０６３号公報
【発明の概要】
【発明が解決しようとする課題】
【０００７】
上述したフローティングコネクタにおいては、浮動ハウジング（２）に形成された端部後部壁（７Ａ、７Ｂ：当接部）が固定ハウジング（３）に形成された後部ストッパ（９Ａ、９Ｂ：被当接部）に当接し、端子（１０）の可撓連結部保護片（１８）の先端（２１）が固定ハウジング（３）の挿入溝（３０）の壁（３１、３２）に当接することで、浮動ハウジング（２）の移動範囲を制限しているところ、これら浮動ハウジング（２）、固定ハウジング（３）、端子（１０）は、別々に製造され、組み立てられている。
【０００８】
すなわち、従来のフローティングコネクタは、固定ハウジングと浮動ハウジングとを別々にインジェクションモールド成形し、これらハウジング同士をプレス加工（打抜加工）された端子で連結し、組み立てられていた。従って、浮動ハウジングの移動範囲は、浮動ハウジング、固定ハウジング及び端子の夫々の製造誤差及び組立誤差が累積したものとして定まることになり、浮動ハウジングの移動範囲の精度を高めることが困難であった。
【０００９】
このため、前記移動範囲に大きなバラツキが生じる可能性があり、上述のフローティングコネクタに相手方コネクタを嵌合させる際、嵌合ができなかったり、嵌合に無理が生じてハウジングが破損したり、可撓部に無理な力が加わって可撓部が損傷し可撓部による浮動性を喪失する等のトラブルが生じる虞がある。
【００１０】
以上の事情を考慮して創案された本発明の目的は、浮動ハウジングの固定ハウジングに対する移動範囲を、高精度で定めることができるフローティングコネクタを提供することにある。
【課題を解決するための手段】
【００１１】
上記目的を達成するために請求項１に係る発明は、回路基板に固定される固定ハウジングと該固定ハウジングに対して所定範囲で移動可能な浮動ハウジングとを、中程に可撓部を有する複数の端子で連結し、相手方コネクタが挿抜される際、前記可撓部が弾性変形することで前記浮動ハウジングが前記固定ハウジングに対して移動するフローティングコネクタであって、前記浮動ハウジングの、前記固定ハウジング及び前記浮動ハウジングに装着された複数の端子の配列方向即ちピッチ方向、前記相手方コネクタの挿抜方向、これらピッチ方向及び挿抜方向で形成される面に直交するデュアルピッチ方向の各方向の移動を夫々所定範囲に制限するため、前記浮動ハウジングに形成されたピッチ方向当接部、挿抜方向当接部、デュアルピッチ方向当接部と、前記浮動ハウジングが前記所定範囲を越えて前記各方向に移動しようとした場合、前記ピッチ方向当接部、挿抜方向当接部、デュアルピッチ方向当接部が夫々当接することで前記浮動ハウジングの移動を前記所定範囲に制限するため、前記固定ハウジングに形成されたピッチ方向被当接部、挿抜方向被当接部、デュアルピッチ方向被当接部と、前記浮動ハウジングと前記固定ハウジングとを連結して設けられ、これらハウジングを一つの金型で一体にインジェクションモールド成形するための樹脂の通路となり、最終的には除去される繋ぎ部とを備えたものである。
【００１２】
請求項２に係る発明は、前記固定ハウジングが、前記ピッチ方向に間隔が隔てられた一対の対向面部と、該対向面部に前記ピッチ方向に貫通形成された窓部とを有し、前記浮動ハウジングが、前記各対向面部の内側面から前記ピッチ方向に所定間隔が隔てられた一対の対向壁部と、該対向壁部の外側面に前記ピッチ方向に突出して形成され前記窓部に遊嵌された突起部とを有し、前記ピッチ方向当接部が、前記対向壁部の外側面であり、前記ピッチ方向被当接部が、前記対向面部の内側面であり、前記挿抜方向当接部が、前記突起部の前記挿抜方向の手前面及び奥面であり、前記挿抜方向被当接部が、前記窓部の前記挿抜方向の手前面及び奥面であり、前記デュアルピッチ方向当接部が、前記突起部の前記デュアルピッチ方向の上下面であり、前記デュアルピッチ方向被当接部が、前記窓部の前記デュアルピッチ方向の上下面である請求項１に記載のフローティングコネクタである。
【００１３】
請求項３に係る発明は、前記固定ハウジングが、前記ピッチ方向に間隔が隔てられた一対の対向面部と、該対向面部に前記ピッチ方向に貫通形成された窓部と、該窓部の前記挿抜方向の手前側の前記対向面部に設けられ前記手前側が開放するコ字状に形成されたコ字状受け面とを有し、前記浮動ハウジングが、前記各対向面部の内側面から前記ピッチ方向に所定間隔が隔てられた一対の対向壁部と、該対向壁部の外側面に前記ピッチ方向に突出して形成され前記窓部に遊嵌された突起部と、前記対向壁部の外側面から前記ピッチ方向に突出されて前記コ字状受け面の内方に挿通された張出部とを有し、前記ピッチ方向当接部が、前記対向壁部の外側面であり、前記ピッチ方向被当接部が、前記対向面部の内側面であり、前記挿抜方向当接部が、前記突起部の前記挿抜方向の手前面と、前記張出部の前記挿抜方向の奥面とを有し、前記挿抜方向被当接部が、前記窓部の前記挿抜方向の手前面と、前記コ字状受け面の前記挿抜方向の奥面とを有し、前記デュアルピッチ方向当接部が、前記張出部の前記デュアルピッチ方向の上下面を有し、前記デュアルピッチ方向被当接部が、前記コ字状受け面の前記デュアルピッチ方向の上下面を有する請求項１に記載のフローティングコネクタである。
【００１４】
請求項４に係る発明は、前記固定ハウジングが、前記ピッチ方向に間隔が隔てられた一対の対向面部と、該対向面部に前記ピッチ方向に貫通形成された窓部と、該窓部の前記挿抜方向の手前側の前記対向面部に設けられ前記手前側が開放するコ字状に形成されたコ字状受け面とを有し、前記浮動ハウジングが、前記各対向面部の内側面から前記ピッチ方向に所定間隔が隔てられた一対の対向壁部と、該対向壁部の外側面に前記ピッチ方向に突出して形成され前記窓部に遊嵌された突起部と、前記対向壁部の外側面から前記ピッチ方向に突出されて前記コ字状受け面の内方に挿通された張出部とを有し、前記ピッチ方向当接部が、前記対向壁部の外側面であり、前記ピッチ方向被当接部が、前記対向面部の内側面であり、前記挿抜方向当接部が、前記突起部の前記挿抜方向の手前面を有すると共に、前記突起部の前記挿抜方向の奥面又は前記張出部の前記挿抜方向の奥面を有し、前記挿抜方向被当接部が、前記窓部の前記挿抜方向の手前面を有すると共に、前記窓の前記挿抜方向の奥面又は前記コ字状受け面の前記挿抜方向の奥面を有し、前記デュアルピッチ方向当接部が、前記突起部の前記デュアルピッチ方向の上下面又は前記張出部の前記デュアルピッチ方向の上下面を有し、前記デュアルピッチ方向被当接部が、前記窓部の前記デュアルピッチ方向の上下面又は前記コ字状受け面の前記デュアルピッチ方向の上下面を有する請求項１に記載のフローティングコネクタである。
【００１５】
請求項５に係る発明は、前記浮動ハウジングを前記固定ハウジングに対してピッチ方向の一方に片寄らせても、前記浮動ハウジングが前記固定ハウジングから脱落しないように、前記浮動ハウジングが前記固定ハウジングに係合されている請求項１〜４いずれかに記載のフローティングコネクタである。
【発明の効果】
【００１６】
本発明に係るフローティングコネクタによれば、浮動ハウジングの固定ハウジングに対する移動範囲を、高精度で定めることができる。
【図面の簡単な説明】
【００１７】
【図１】本発明の一実施形態に係るフローティングコネクタに相手方コネクタを嵌合した様子を示す斜視図である。
【図２】図１に示すフローティングコネクタ及び相手方コネクタの断面斜視図である。
【図３】図２に示すフローティングコネクタの端子及び相手方コネクタの端子の斜視図である。
【図４】図１に示す相手方コネクタの斜視図である。
【図５】図１に示すフローティングコネクタの斜視図である。
【図６】図５に示すフローティングコネクタの固定ハウジングの斜視図である。
【図７】図５に示すフローティングコネクタの浮動ハウジングの斜視図である。
【図８】浮動ハウジングが固定ハウジングに対して挿抜方向又はデュアルピッチ方向に移動する様子の説明図であり、（ａ）は浮動ハウジングのニュートラル状態、（ｂ）は浮動ハウジングがデュアルピッチ方向の上方に移動した様子、（ｃ）は浮動ハウジングが挿抜方向の手前側に移動した様子を示す説明図である。
【図９】浮動ハウジングが固定ハウジングに対してピッチ方向に移動する様子の説明図であり、（ａ）は浮動ハウジングのニュートラル状態、（ｂ）は浮動ハウジングがピッチ方向の右方に移動した様子を示す説明図である。
【図１０】浮動ハウジングと固定ハウジングとを連結する繋ぎ部を示す説明図である。
【発明を実施するための形態】
【００１８】
本発明の一実施形態を添付図面に基づいて説明する。
【００１９】
図１、図２に示すように、一方の回路基板１０１には、本実施形態に係るフローティングコネクタ１００が実装され、他方の回路基板４０１には、相手方コネクタ４００が実装されている。図中、Ｐは各コネクタに装着された複数の端子の配列方向、すなわちピッチ方向、Ｑは両コネクタ同士の挿抜方向、Ｄはピッチ方向及び挿抜方向で形成される面に直交するデュアルピッチ方向を示す。
【００２０】
本実施形態では、フローティングコネクタ１００をプラグコネクタとし、相手方コネクタ（ノンフローティングタイプ）４００をソケットコネクタとしたが、これとは逆に、フローティングコネクタ１００をソケットコネクタとし、相手方コネクタ４００をプラグコネクタとしてもよい。また、本実施形態では、各回路基板１０１、４０１の配置を略直交させているが、９０度以外の角度としてもよく、平行でも構わない。
【００２１】
フローティングコネクタ（プラグコネクタ）１００は、回路基板１０１に固定される固定ハウジング２００と、固定ハウジング２００に対して所定範囲で移動可能な浮動ハウジング３００とを備え、これらハウジング２００、３００を中程に可撓部１０９を有する複数の端子１０２で連結して概略構成されている。このプラグコネクタ１００は、相手方コネクタ（ソケットコネクタ）４００に挿抜される際、可撓部１０９が弾性変形することで浮動ハウジング３００が固定ハウジング２００に対して移動し、各コネクタ１００、４００の各回路基板１０１、４０１に対する実装位置のズレを吸収する。
【００２２】
図１〜図３に示すように、プラグコネクタ１００の端子（プラグ端子）１０２は、回路基板１０１にはんだ付けにより固定されるリード部１０３、固定ハウジング２００に形成された圧入溝２０１に圧入固定される第一圧入部１０４、浮動ハウジング３００に形成された圧入溝３０１に圧入固定される第二圧入部１０５、ソケットコネクタ４００の端子（ソケット端子）４０２に接し得る接触部１０６、リード部１０３及び第一圧入部１０４が連なる第一基部１０７、第二圧入部１０５及び接触部１０６が連なる第二基部１０８、第一基部１０７と第二基部１０８とを連結する可撓部１０９等を備えており、打抜加工により製造される。可撓部１０９は、細い針金状の部材がＳ字状に蛇行された形状となっており、ピッチ方向Ｐ、挿抜方向Ｑ、デュアルピッチ方向Ｄに所定範囲で弾性変形する。
【００２３】
ソケット端子４０２は、回路基板４０１にはんだ付けにより固定されるリード部４０３、ソケットコネクタ４００のハウジング（ソケットハウジング）４１０に形成された圧入溝４０５に圧入固定される圧入部４０６、プラグ端子１０２の接触部１０６に接し得る接触部４０７等を備えており、打抜加工しリード部４０３を圧入部４０６に対し略直角に折り曲げることで製造される。接触部４０７は、フォーク状に形成されており、その間にプラグ端子１０２の平板状の接触部１０６が挟持されるようになっている。なお、図２に示すように、ソケット端子４０２のリード部４０３は、ピッチ方向Ｐに隣接するもの同士がデュアルピッチ方向Ｄに振り分けられて千鳥配置されているのに対し、プラグ端子１０２のリード部１０３は、固定ハウジング２００の一側に整列配置（非千鳥配置）されている。
【００２４】
図２、図４に示すように、ソケットコネクタ４００は、略直方体形状に形成されたソケットハウジング４１０と、ソケットハウジング４１０の長手方向（ピッチ方向Ｐ）の両端部に挿抜方向Ｑに沿って形成されたガイド穴４９９と、ガイド穴４９９同士の間のソケットハウジング４１０にピッチ方向Ｐに間隔を隔てて複数形成されたスリット４０８と、各スリット４０８内に配設されたソケット端子４０２とを備えている。
【００２５】
図１、図２、図５に示すように、プラグコネクタ１００は、回路基板１０１に固定される固定ハウジング２００と、固定ハウジング２００に対してピッチ方向Ｐ、挿抜方向Ｑ、デュアルピッチ方向Ｄに所定範囲で移動可能な浮動ハウジング３００と、これらハウジング２００、３００を連結するプラグ端子１０２とを有し、ソケットコネクタ４００に挿抜される際、プラグ端子１０２の中程に設けられた可撓部１０９が弾性変形することで浮動ハウジング３００が固定ハウジング２００に対してピッチ方向Ｐ、挿抜方向Ｑ、デュアルピッチ方向Ｄに所定範囲で移動可能となっている。
【００２６】
すなわち、浮動ハウジング３００には、ピッチ方向Ｐ、挿抜方向Ｑ、デュアルピッチ方向Ｄの各方向の移動を夫々所定範囲に制限するため、ピッチ方向当接部ＰＸ、挿抜方向当接部ＱＸ、デュアルピッチ方向当接部ＤＸが形成されており、他方、固定ハウジング２００には、浮動ハウジング３００が前記所定範囲を越えて前記各方向に移動しようとした場合、ピッチ方向当接部ＰＸ、挿抜方向当接部ＱＸ、デュアルピッチ方向当接部ＤＸが夫々当接することで浮動ハウジング３００の移動を前記所定範囲に制限するピッチ方向被当接部ＰＹ、挿抜方向被当接部ＱＹ、デュアルピッチ方向被当接部ＤＹが形成されている。
【００２７】
これら当接部ＰＸ、ＱＸ、ＤＸを有する浮動ハウジング３００、及び被当接部ＰＹ、ＱＹ、ＤＹを有する固定ハウジング２００について、以下に詳述する。
【００２８】
図５、図６に示すように、固定ハウジング２００は、ピッチ方向Ｐに沿って略板状に形成されたベース部２１０と、ベース部２１０の両端から挿抜方向Ｑの手前側に夫々延出された一対の対向面部２１１と、対向面部２１１にピッチ方向Ｐに貫通形成された窓部２１２と、窓部２１２の挿抜方向Ｑの手前側にその手前側が開放するようにコ字状に形成されたコ字状受け面２５０とを有する。固定ハウジング２００は、図１、図５に示すように、対向面部２１１に圧入されたダミーピン６００及びプラグ端子１０２のリード部１０３が回路基板１０１にはんだ付けされることで、回路基板１０１に固定される。
【００２９】
図５、図７に示すように、浮動ハウジング３００は、ピッチ方向Ｐに沿って形成された本体部３１０と、本体部３１０の両端に配設され前記対向面部２１１の内側面からピッチ方向Ｐに所定間隔が隔てられた一対の対向壁部３１１と、対向壁部３１１の外側面にピッチ方向Ｐに突出して形成され前記窓部２１２に遊嵌された突起部３１２と、対向壁部３１１の外側面からピッチ方向Ｐに突出され前記コ字状受け面２５０の内方に挿通された張出部３９７と、張出部３９７の挿抜方向Ｑの手前面から手前側に延出されソケットコネクタ４００のガイド穴４９９（図４参照）に挿抜されるガイド３９９とを有する。
【００３０】
図８（ａ）に示すように、浮動ハウジング３００の突起部３１２が固定ハウジング２００の窓部２１２の中央に位置する状態（挿抜方向Ｑ及びデュアルピッチ方向Ｄのニュートラル状態）において、突起部３１２の挿抜方向Ｑの手前面３１２ａと窓部２１２の挿抜方向Ｑの手前面２１２ａとの間に所定隙間ｑ１（例えば０．２ｍｍ）が形成され、突起部３１２の挿抜方向Ｑの奥面３１２ｂと窓部２１２の挿抜方向Ｑの奥面２１２ｂとの間に所定隙間ｑ２（例えば０．２ｍｍ）が形成され、突起部３１２のデュアルピッチ方向Ｄの上面３１２ｃと窓部２１２のデュアルピッチ方向Ｄの上面２１２ｃとの間に所定隙間ｄ１（例えば０．２ｍｍ）が形成され、突起部３１２のデュアルピッチ方向Ｄの下面３１２ｄと窓部２１２のデュアルピッチ方向Ｄの下面２１２ｄとの間に所定隙間ｄ２（例えば０．２ｍｍ）が形成されている。
【００３１】
これにより、ニュートラル状態の浮動ハウジング３００は、固定ハウジング２００に対し、挿抜方向Ｑに±０．２ｍｍの範囲で移動でき、デュアルピッチ方向Ｄにも±０．２ｍｍの範囲で移動できる（図８（ｂ）、図８（ｃ）参照）。ここで、突起部３１２の挿抜方向Ｑの手前面３１２ａ及び奥面３１２ｂが挿抜方向当接部ＱＸに相当し、窓部２１２の挿抜方向Ｑの手前面２１２ａ及び奥面２１２ｂが挿抜方向被当接部ＱＹに相当し、突起部３１２のデュアルピッチ方向Ｄの上面３１２ｃ及び下面３１２ｄがデュアルピッチ方向当接部ＤＸに相当し、窓部２１２のデュアルピッチ方向Ｄの上面２１２ｃ及び下面２１２ｄがデュアルピッチ方向被当接部ＤＹに相当することになる。なお、各所定隙間ｑ１、ｑ２、ｄ１、ｄ２の寸法（０．２ｍｍ）は、一部又は全部が異なっていてもよい。
【００３２】
図９（ａ）に示すように、浮動ハウジング３００が固定ハウジング２００の左右の対向面部２１１の内側面同士のピッチ方向Ｐの中央に配置された状態（ピッチ方向Ｐのニュートラル状態）において、固定ハウジング２００の対向面部２１１の内側面と浮動ハウジング３００の対向壁部３１１の外側面との隙間は、左右で等しく、所定隙間ｐ（例えば１．３５ｍｍ）となっている。
【００３３】
これにより、ニュートラル状態の浮動ハウジング３００は、固定ハウジング２００に対し、ピッチ方向Ｐに±１．３５ｍｍの範囲で移動できる（図９（ｂ）参照）。ここで、対向壁部３１１の外側面がピッチ方向当接部ＰＸに相当し、対向面部２１１の内側面がピッチ方向被当接部ＰＹに相当することになる。なお、所定隙間ｐの寸法（１．３５ｍｍ）は、この数値に限られないことは勿論である。
【００３４】
図７に示す突起部３１２の対向壁部３１１の外側面からのピッチ方向Ｐの突出量Ｌ（例えば３．０ｍｍ）は、図９（ｂ）に示すように、浮動ハウジング３００を固定ハウジング２００に対してピッチ方向Ｐの一方（例えば右方）に片寄らせた場合にピッチ方向Ｐの他方（左方）の対向壁部３１１の外側面と対向面部２１１の内側面との間にて形成される隙間ｐ×２（１．３５ｍｍ×２）よりも大きい。この結果、図５に示す突起部３１２が窓部２１２から外れることはなく、浮動ハウジング３００が固定ハウジング２００から脱落することが防止される。
【００３５】
また、図８（ａ）に示すように、浮動ハウジング３００が挿抜方向Ｑ及びデュアルピッチ方向Ｄのニュートラル状態において、張出部３９７の挿抜方向Ｑの奥面３９７ａとコ字状受け面２５０の挿抜方向Ｑの奥面２５０ａとの間に所定隙間ｑ３（例えば０．２ｍｍ）が形成され、張出部３９７のデュアルピッチ方向Ｄの上面３９７ｂとコ字状受け面２５０のデュアルピッチ方向Ｄの上面２５０ｂとの間に所定隙間ｄ３（例えば０．２ｍｍ）が形成され、張出部３７９のデュアルピッチ方向Ｄの下面３７９ｃとコ字状受け面２５０のデュアルピッチ方向Ｄの下面２５０ｃとの間に所定隙間ｄ４（例えば０．２ｍｍ）が形成されている。
【００３６】
これにより、ニュートラル状態の浮動ハウジング３００は、固定ハウジング２００に対し、挿抜方向Ｑの奥側に０．２ｍｍの範囲で移動でき、デュアルピッチ方向Ｄにも±０．２ｍｍの範囲で移動できる。ここで、張出部３９７の挿抜方向Ｑの奥面３９７ａが挿抜方向当接部ＱＸ’に相当し、コ字状受け面２５０の挿抜方向Ｑの奥面２５０ａが挿抜方向被当接部ＱＹ’に相当し、張出部３９７のデュアルピッチ方向Ｄの上面３９７ｂ及び下面３９７ｃがデュアルピッチ方向当接部ＤＸ’に相当し、コ字状受け面２５０のデュアルピッチ方向Ｄの上面２５０ｂ及び下面２５０ｃがデュアルピッチ方向被当接部ＤＹ’に相当する。なお、各所定隙間ｑ３、ｄ３、ｄ４の寸法（０．２ｍｍ）は、一部又は全部が異なっていてもよい。
【００３７】
図８（ａ）において、所定隙間ｄ１、ｄ３、所定隙間ｄ２、ｄ４、所定隙間ｑ２、ｑ３は、夫々同じ機能を有するので、何れか一方のみを設定すれば足りる。また、双方を設定した場合であっても、双方で寸法を異ならせた場合には、小さい寸法のものが実質的な可動範囲となる。例えば、本実施形態においては、窓部２１２及びそれに遊嵌された突起部３１２により所定隙間ｑ１、ｑ２、ｄ１、ｄ２を確保できるので、張出部３９７及びコ字状受け面２５０を省略することも可能である。但し、例えば所定隙間ｑ３を所定隙間ｑ２より小さくした場合には、所定隙間ｑ３が挿抜方向Ｑの奥側への実質的な可能範囲となる。この場合、突起部３１２の奥面３１２ｂが窓部２１２の奥面２１２ｂに当接しないので、窓部２１２の奥面２１２ｂを省略することもできる。すなわち、本発明において窓部２１２の概念には、奥面２１２ｂを欠いたもの（挿抜方向Ｑの奥側が開放されたもの）も含まれる。
【００３８】
以上述べたように本実施形態においては、浮動ハウジング３００のピッチ方向当接部ＰＸ、挿抜方向当接部ＱＸ、ＱＸ’、デュアルピッチ方向当接部ＤＸ、ＤＸ’が、固定ハウジング２００のピッチ方向被当接部ＰＹ、挿抜方向被当接部ＱＹ、ＱＹ’、デュアルピッチ方向被当接部ＤＹ、ＤＹ’に夫々当接することで、浮動ハウジング３００のピッチ方向Ｐ、挿抜方向Ｑ、デュアルピッチ方向Ｄの移動範囲を制限している。よって、浮動ハウジング３００の固定ハウジング２００に対する移動範囲を高精度とするためには、浮動ハウジング３００の各当接部ＰＸ、ＱＸ、ＱＸ’、ＤＸ、ＤＸ’の製作誤差と固定ハウジング２００の各被当接部ＰＹ、ＱＹ、ＱＹ’、ＤＹ、ＤＹ’の製作誤差とが累積してしまう事態を回避し、且つ、浮動ハウジング３００と固定ハウジング２００とをプラグ端子１０２で連結する際の組立誤差を小さくすることが求められる。
【００３９】
そこで、本実施形態では、図１０に示すように、浮動ハウジング３００と固定ハウジング２００との間に、これらハウジング２００、３００を一つの金型で一体にインジェクションモールド成形するための樹脂の通路となる繋ぎ部５００を設け、両ハウジング２００、３００を繋ぎ部５００を介して連結している。この繋ぎ部５００により、浮動ハウジング３００と固定ハウジング２００とを一つの金型で一体にインジェクションモールド成形できるので、浮動ハウジング３００の各当接部ＰＸ、ＱＸ、ＱＸ’、ＤＸ、ＤＸ’の製作誤差と固定ハウジング２００の各被当接部ＰＹ、ＱＹ、ＱＹ’、ＤＹ、ＤＹ’の製作誤差とが累積してしまう事態を回避できる。
【００４０】
また、浮動ハウジング３００と固定ハウジング２００とが繋ぎ部５００で連結された状態で端子１０２を両ハウジング２００、３００に装着し、その後、繋ぎ部５００を除去することで、浮動ハウジング３００と固定ハウジング２００とを端子１０２で連結する際の組立誤差を略零にできる。詳しくは、浮動ハウジング３００と固定ハウジング２００とが繋ぎ部５００で連結された状態で端子１０２をハウジング２００、３００内に挿入し、図２に示すように、端子１０２の第一圧入部１０４を固定ハウジング２００の圧入溝２０１に圧入し、端子１０２の第二圧入部１０５を浮動ハウジング３００の圧入溝３０１に圧入した後、図１０に示す繋ぎ部５００を除去することで、浮動ハウジング３００と固定ハウジング２００とを端子１０２で連結する際に生じる組立誤差を略零にできる。加えて、両ハウジング２００、３００の位置合わせ作業やそのための特殊治具等が一切不要となるので、コストダウンに繋がる。
【００４１】
図１０に示すように、繋ぎ部５００の両端、すなわち繋ぎ部５００と両ハウジング２００、３００との間には、ノッチ５００ａが形成されている。よって、繋ぎ部５００を押圧する等してノッチ５００ａに応力を集中させれば、繋ぎ部５００を的確に両端で除去できる。
【００４２】
繋ぎ部５００は、前記当接部ＰＸ、ＱＸ、ＤＸ、ＱＸ’、ＤＸ’、被当接部ＰＹ、ＱＹ、ＤＹ、ＱＹ’、ＤＹ’以外の部分にて、浮動ハウジング３００と固定ハウジング２００とを連結して配設される。従って、前記所定隙間ｑ１、ｑ２、ｑ３、ｄ１、ｄ２、ｄ３、ｐの精度に影響を及ぼすことなく、繋ぎ部５００を除去できる。よって、繋ぎ部５００を除去した後に、両ハウジング２００、３００に多少のバリが残ったとしても、これらバリ同士が接しない限り、浮動ハウジング３００の固定ハウジング２００に対する移動範囲の精度に影響が及ばない。
【００４３】
浮動ハウジング３００が固定ハウジング２００から脱落することを防止するため、既述のように、図７に示す突起部３１２の突出量Ｌ（例えば３．０ｍｍ）が図９（ｂ）に示す隙間ｐ×２（１．３５ｍｍ×２）よりも大きくなっている。これは、両ハウジング２００、３００を別々に製作した後にこれらを組み合わせることが困難であることを意味する（各部材を撓ませれば可能だが損傷する虞がある）。本実施形態では、両ハウジング２００、３００を繋ぎ部５００で連結したものを一つの金型で一体にインジェクションモールド成形した後、そのものから繋ぎ部５００を除去することで、浮動ハウジング３００を固定ハウジング２００に脱落不能にフローティング支持したものを得ている。これにより、浮動ハウジング３００を固定ハウジング２００に組み込む作業が不要となり、コストダウンを推進できる。
【符号の説明】
【００４４】
１００  フローティングコネクタとしてのプラグコネクタ
１０２  端子
１０９  可撓部
２００  固定ハウジング
２１２  窓部
２１２ａ  手前面
２１２ｂ  奥面
２１２ｃ  上面
２１２ｄ  下面
２５０  コ字状受け面
２５０ａ  奥面
２５０ｂ  上面
２５０ｃ  下面
３００  浮動ハウジング
３１２  突起部
３１２ａ  手前面
３１２ｂ  奥面
３１２ｃ  上面
３１２ｄ  下面
３９７  張出部
３９７ａ  奥面
３９７ｂ  上面
３９７ｃ  下面
４００  相手方コネクタとしてのソケットコネクタ
５００  繋ぎ部
Ｐ  ピッチ方向
Ｑ  挿抜方向
Ｄ  デュアルピッチ方向
ＰＸ  ピッチ方向当接部
ＱＸ  挿抜方向当接部
ＱＸ’  挿抜方向当接部
ＤＸ  デュアルピッチ方向当接部
ＤＸ’  デュアルピッチ方向当接部
ＰＹ  ピッチ方向被当接部
ＱＹ  挿抜方向被当接部
ＱＹ’  挿抜方向被当接部
ＤＹ  デュアルピッチ方向被当接部
ＤＹ’  デュアルピッチ方向被当接部
【図１】
2011048982.tif 000003
【図２】
2011048982.tif 000004
【図３】
2011048982.tif 000005
【図４】
2011048982.tif 000006
【図５】
2011048982.tif 000007
【図６】
2011048982.tif 000008
【図７】
2011048982.tif 000009
【図８】
2011048982.tif 000010
【図９】
2011048982.tif 000011
【図１０】
2011048982.tif 000012